(57)【要約】【課題】アウト口の球詰まりを未然に防止することが可能な遊技機を提供する。【解決手段】遊技機としてのパチンコ機１１のアウト口２１は、いずれの入賞口１５，１７にも入らなかったアウト球２を並列して２個は通すが、３個目のアウト球２がはまらなないようにする横幅寸法Ｌ１、すなわち、パチンコ球の直径寸法の約２倍以上２倍半以下の範囲内に設定するか、或いは、いずれの入賞口１５，１７にも入らなかったアウト球２を並列して３個は通すが、４個目のアウト球２がはまらないようにする横幅寸法Ｌ２、すなわち、パチンコ球の直径寸法の約３倍以上３倍半以下の範囲内のいずれかに設定する。【選択図】図３
2007236793.tif 000002
【特許請求の範囲】
【請求項１】
いずれの入賞口にも入らなかった遊技球を遊技盤から背面側に排出するアウト口を備えた遊技機において、
前記アウト口の横幅寸法は、前記遊技球の直径寸法の約２倍以上２倍半以下の範囲内に設定されていることを特徴とする遊技機。
【請求項２】
前記アウト口の横幅寸法は、約２３〜２７ｍｍの範囲内であることを特徴とする請求項１に記載の遊技機。
【請求項３】
いずれの入賞口にも入らなかった遊技球を遊技盤から背面側に排出するアウト口を備えた遊技機において、
前記アウト口の横幅寸法は、前記遊技球の直径寸法の約３倍以上３倍半以下の範囲内に設定されていることを特徴とする遊技機。
【請求項４】
前記アウト口の横幅寸法は、約３４〜３８ｍｍの範囲内であることを特徴とする請求項３に記載の遊技機。
【発明の詳細な説明】
【技術分野】
【０００１】
この発明は、パチンコ機等の遊技機に関し、さらに詳しくは、アウト口を備えた遊技機に関する。
【０００２】
遊技機、例えばパチンコ機に設けられたアウト口は、いずれの入賞口にも入らなかったアウト球を遊技盤から背面側に排出するものである（例えば、特許文献１参照）。
【０００３】
従来、このようなアウト口の横幅寸法は、約３０ｍｍに設定されていると共に、盤面裏側への連絡通路の幅も約３０ｍｍに設定されている。これは、図５（ａ）に示されるように、アウト口１を直径約１１ｍｍの遊技球（パチンコ球）２が２個並列しても十分通れる大きさである。
【０００４】
【特許文献１】特開２００５−２１１４１７号公報
【発明の開示】
【発明が解決しようとする課題】
【０００５】
しかしながら、アウト球２をアウト口１に誘導する案内レール（例えば、内レール、外レール）が板金レールの場合にはＲ形状の絞りだったため、アウト口１にて球詰まりは起きなかったが、現在では、Ｒ形状の絞りがない合成樹脂製の案内レールを用いているため、図５（ｂ）に示されるように、セル面とガラス面との間にアウト球２が３個はまってしまうという問題があった。
【０００６】
さらにまた、最近では、特別図柄表示画面が大きくなると同時に、ステージでの玉遊びが大きなポイントになる傾向にある。そのため、アウト口１にアウト球２が３個はまった状態でさらにアウト球２’が落下してくると、図５（ｃ）に示されるように、アウト口１にて球詰まりが発生するという問題があった。
【０００７】
そこで、この発明は、上記した従来技術が有している問題点を解決するためになされたものであって、アウト口の球詰まりを未然に防止することが可能な遊技機を提供することを目的とする。
【０００８】
上記目的を達成するため第１の発明は、いずれの入賞口にも入らなかった遊技球を遊技盤から背面側に排出するアウト口を備えた遊技機において、
前記アウト口の横幅寸法は、前記遊技球の直径寸法の約２倍以上２倍半以下の範囲内に設定されていることを特徴とする。
【０００９】
上記目的を達成するため第２の発明は、第１の発明の構成に加えて、前記アウト口の横幅寸法は、約２３〜２７ｍｍの範囲内であることを特徴とする。
【００１０】
第１、第２の発明によれば、アウト口の横幅寸法は、いずれの入賞口にも入らなかった遊技球、つまりアウト球が２個並列しても十分に通れる大きさが確保される一方で、３個目のアウト球がはまらないように設定されている。これにより、Ｒ形状のない内レールが用いられても、セル面とガラス面との間に複数のアウト球が一度にはまるようなことはなくなり、アウト口の球詰まりを未然に防止することができるようになる。
【００１１】
上記目的を達成するため第３の発明は、いずれの入賞口にも入らなかった遊技球を遊技盤から背面側に排出するアウト口を備えた遊技機において、
前記アウト口の横幅寸法は、前記遊技球の直径寸法の約３倍以上３倍半以下の範囲内に設定されていることを特徴とする。
【００１２】
上記目的を達成するため第４の発明は、第３の発明の構成に加えて、前記アウト口の横幅寸法は、約３４〜３８ｍｍの範囲内であることを特徴とする。
【００１３】
第３、第４の発明によれば、アウト口の横幅寸法は、いずれの入賞口にも入らなかった遊技球、つまりアウト球が３個並列しても十分に通れる大きさが確保される一方で、４個目のアウト球がはまらないように設定されている。これにより、Ｒ形状のない内レールが用いられても、セル面とガラス面との間に複数のアウト球が一度にはまるようなことはなくなり、アウト口の球詰まりを未然に防止することができるようになる。
【発明の効果】
【００１４】
本発明の遊技機によれば、アウト口の横幅寸法を、いずれの入賞口にも入らなかった遊技球を並列して２個は通すが、３個目の遊技球がはまらなないようにするか、或いは、いずれの入賞口にも入らなかった遊技球を並列して３個は通すが、４個目の遊技球がはまらないように設定した。これにより、アウト口からは、遊技球が２個ずつ、或いは３個ずつ円滑に排出されるので、従来のようにセル面とガラス面との間に複数のアウト球が一度にはまるようなことはなくなり、アウト口の球詰まりを未然に防止することができるようになる。
【発明を実施するための最良の形態】
【００１５】
以下、本発明の実施形態の遊技機としてのパチンコ機について図面を用いて説明する。図１は、パチンコ機の正面図、図２は、図１の背面図である。
【００１６】
なお、従来と同様な構成部材、例えば、アウト球については、従来と同一の符号を付している。
【００１７】
まず、遊技機としてのパチンコ機の概略構成について説明する。
図１に示されるように、パチンコ機１１は、パチンコ機１１全体の筐体をなす外枠１２、遊技盤保持枠１３、前面パネル１４等で構成されている。遊技盤保持枠１３は、遊技盤１６を有して、外枠１２に回転可能に設けられている。前面パネル１４は、遊技盤保持枠１３を開閉できるように、外枠１２に回転自在に設けられている。さらに、この前面パネル１４には、遊技盤１６を覆うガラスを有して遊技盤１６を開閉するガラス枠１８、遊技球としてのパチンコ球を発射する発射装置３１及びこの発射装置を操作する発射ハンドル４１を設けてある皿ユニット１９等が備えられている。
【００１８】
遊技盤１６の前面には、液晶からなる特別図柄表示画面２２を有するエスカッション２０、複数の入賞口１５、特別入賞口１７、いずれの入賞口１５，１７にも入らなかったアウト球を遊技盤１６から排出するアウト口２１、図示しない障害釘等が備えられている。特別図柄表示画面２２は、遊技盤１６のほぼ中央に位置してエスカッション２０の開口２０ａから露出するように設けられている。
【００１９】
図２に示されるように、パチンコ機１１の背面側には、遊技島に設置してある貯留装置から一度に多数のパチンコ球が送り込まれても受け止めることのできる賞球タンク２３、この賞球タンク２３から流出する賞球を案内する横案内路２４及び図示しない縦案内路、表側に特別図柄表示画面２２を備えた液晶ユニット２５、サブ制御基板２６、パチンコ機全体を制御する主制御基板２７、パチンコ機全体の電源となる電源ユニット２８、賞球の払い出し制御を行う払い出し制御基板２９、発射装置３１を発射制御する発射制御基板３０等が備えられている。
【００２０】
主制御基板２７は、パチンコ機全体を制御するため、パチンコ機１１の動作全体を管理するシステムプログラム及び遊技用の実行プログラムが予め記憶された半導体メモリ等からなる記憶部、これらのプログラムを実行するマイクロプロセッサ（ＭＰＵ）を備えている。
【００２１】
次に、本発明の実施形態に係るパチンコ機１１のアウト口２１について図３，４を用いて詳細に説明する。
【００２２】
図３は、本発明の第１の実施形態に係るパチンコ機のアウト口の正面図、図４は、本発明の第２の実施形態に係るパチンコ機のアウト口の正面図である。
【００２３】
まず、第１の実施形態に係るパチンコ機１１のアウト口２１は、図３に示されるように、パチンコ球の直径寸法（直径約１１ｍｍ）の約２倍以上２倍半以下の範囲内となる横幅寸法Ｌ１を有している。好ましくは、アウト口２１の横幅寸法Ｌ１は、約２３〜２７ｍｍの範囲内である。アウト口２１の横幅寸法Ｌ１をパチンコ球の直径寸法の約２倍以上２倍半以下の範囲内に設定することによって、アウト口２１は、アウト球２が一度に２個、すなわち２個並列して通れる大きさが十分に確保される一方で、アウト球２が一度に３個並列することができないようになっている。すなわち、アウト口２１にて３個目のアウト球２がはまらないように設定されている。
【００２４】
かかる構成によれば、アウト口２１の横幅寸法Ｌ１は、いずれの入賞口１５，１７にも入らなかったアウト球２が一度に２個並列しても十分に通れる大きさが確保される一方で、３個目のアウト球２がはまらないように設定されているので、Ｒ形状のない案内レール等が用いられても、図３に示されるように、遊技盤１６のセル面とガラス枠１８のガラス面との間に３個のアウト球２が一度にはまらないようにすることができる。また、特別図柄表示画面２２が大きくなると同時に、ステージでの玉遊びが大きなポイントになる傾向によりアウト球２が集中して落下してきても、アウト球２はアウト口２１から２個ずつ円滑に盤面裏側に円滑に排出されるので、アウト口２１の球詰まりを確実に防止することが可能となる。
【００２５】
また、第２の実施形態に係るパチンコ機１１のアウト口２１は、図４に示されるように、パチンコ球の直径寸法の約３倍以上３倍半以下の範囲内となる横幅寸法Ｌ２を有している。好ましくは、アウト口２１の横幅寸法Ｌ２は、約３４〜３８ｍｍの範囲内である。アウト口２１の横幅寸法Ｌ２をパチンコ球の直径寸法の約３倍以上３倍半以下の範囲内に設定することによって、アウト口２１は、アウト球２が一度に３個並列して通れる大きさが十分に確保される一方で、アウト球２が一度に４個並列することができないようになっている。すなわち、アウト口２１にて４個目のアウト球２がはまらないように設定されている。
【００２６】
かかる構成によれば、アウト口２１の横幅寸法Ｌ２は、いずれの入賞口１５，１７にも入らなかったアウト球２が３個並列しても十分に通れる大きさが確保される一方で、４個目のアウト球２がはまらないように設定されているので、Ｒ形状のない案内レール等が用いられても、セル面とガラス面との間に４個のアウト球が一度にはまるようなことはなくなり、アウト口２１の球詰まりを未然に防止することができるようになる。また、特別図柄表示画面２２が大きくなると同時に、ステージでの玉遊びが大きなポイントになる傾向によりアウト球２が集中して落下してきても、アウト球２はアウト口２１から３個ずつ円滑に盤面裏側に円滑に排出されるので、アウト口２１の球詰まりを確実に防止することが可能となる。
【００２７】
これらの結果、アウト口２１の球詰まりを未然に防止することが可能なパチンコ機１１を提供することが可能となる。
【００２８】
なお、寸法的に可能であれば、アウト口２１は横幅寸法Ｌ２が用いられるのが望ましい。
【図面の簡単な説明】
【００２９】
【図１】パチンコ機の正面図である。
【図２】図１の背面図である。
【図３】本発明の第１の実施形態に係るパチンコ機のアウト口の正面図である。
【図４】本発明の第２の実施形態に係るパチンコ機のアウト口の正面図である。
【図５】（ａ）〜（ｃ）は、従来の遊技機のアウト口の球詰まり状態を示した正面図である。
【符号の説明】
【００３０】
２      アウト球（遊技球）
１１    パチンコ機（遊技機）
１５    入賞口
１６    遊技盤
１７    特別入賞口
２１    アウト口
Ｌ１，Ｌ２  横幅寸法
【図１】
2007236793.tif 000003
【図２】
2007236793.tif 000004
【図３】
2007236793.tif 000005
【図４】
2007236793.tif 000006
【図５】
2007236793.tif 000007